(57)【特許請求の範囲】
【請求項１】
上面に長手方向に沿って合せ部が形成され、下面に長手方向に沿って延びる複数条の補強リブが形成され、上面が平坦に形成され、前記補強リブの端部は、押し潰され、幅方向端部の一方には、下方に折れ曲がる折り曲げ部が形成されているフラットデッキプレートにおいて、
前記折り曲げ部には、前記折り曲げ部の一部を折り曲げることにより落下防止片が形成されていることを特徴とするフラットデッキプレート。
【請求項２】
前記落下防止片は、前記折り曲げ部に切り込みを入れることにより形成されることを特徴とする、請求項１に記載のフラットデッキプレート。
【請求項３】
前記落下防止片は、垂直板と、前記垂直板の上部に形成された水平板とからなっていることを特徴とする、請求項１または２に記載のフラットデッキプレート。
【請求項４】
前記落下防止片は、前記折り曲げ部に切り込みを入れることによって前記折り曲げ部の一部に形成され、
前記垂直板は、前記落下防止片を上方に垂直に折り曲げることによって形成され、
前記水平板は、前記垂直板の一部を前記垂直板に対して垂直に折り曲げることによって形成されることを特徴とする請求項３に記載のフラットデッキプレート。
【請求項５】
前記水平板は、コ字状に形成されていることを特徴とする、請求項３又は４に記載のフラットデッキプレート。
【請求項６】
前記水平板は、Ｌ字状に形成されていることを特徴とする、請求項３又は４に記載のフラットデッキプレート。
【請求項７】
前記水平板は、Ｔ字状に形成されていることを特徴とする、請求項３又は４に記載のフラットデッキプレート。
【発明の詳細な説明】
【技術分野】
【０００１】
この発明は、フラットデッキプレート（床型枠用鋼製デッキプレート、以下、単に、フラットデッキという。）、特に、フラットデッキ上にコンクリートを打設してコンクリート床を構築する際に、コンクリートからフラットデッキが剥離して、フラットデッキが落下することを防止する落下防止金具を別部材としてフラットデッキに取り付けることなく、フラットデッキの落下を確実に防止することができるフラットデッキに関するものである。
【背景技術】
【０００２】
例えば、図１５に示すように、ＲＣ構造によりコンクリート床１１を構築する場合には、通常、梁型枠１２内にコンクリート１３へののみ込み代（Ｌ）を取ってフラットデッキ１４を仮設し、梁型枠１２内およびフラットデッキ１４上にコンクリート１３を打設している。
【０００３】
なお、図１６、図１７、図１８に示すように、従来のフラットデッキ１４は、上面に長手方向に沿って合せ部１４ａが形成され、下面に長手方向に沿って延びる複数条（この例では２条）の補強リブ１４ｂが形成され、上面が平坦に形成され、補強リブ１４ｂの端部１４ｃが押し潰され、幅方向の一方の端部に下方に折れ曲がる折り曲げ部１４ｄが形成されたものからなっている。
【０００４】
コンクリート床１１の構築に際して、フラットデッキ１４同士を連結するには、図１９に示すように、一方のフラットデッキ１４の折り曲げ部１４ｄを他方のフラットデッキ１４の合せ部１４ａの隙間に差し込む。
【０００５】
上述したように、のみ込み代（Ｌ）を取ることによって、梁型枠１２の脱型後、コンクリート１３からフラットデッキ１４が剥離して、フラットデッキ１４が落下することを防止している。
【０００６】
図２０、図２１、図２２に示すように、コンクリート床１１に開口部１５を形成する場合には、コンクリート１３の硬化後にフラットデッキ１４の一部を切断して開口部１５を形成する箱抜き工法が原則になっている。フラットデッキ１４の切断部を、図２２中、ハッチングで示す。
【０００７】
この場合、開口部１５部分のフラットデッキ１４が片持ちになるので、開口部１５の大きさによっては、開口部１５の周囲のコンクリート１３からフラットデッキ１４が剥離して、フラットデッキ１４が落下するおそれがあった。
【０００８】
そこで、この問題を解決するために、フラットデッキ１４の切断端部に予め落下防止金具１６を取り付けておく必要がある。
【０００９】
また、上述のように、のみ込み代（Ｌ）を取ることにより、梁型枠１２内への配筋作業時に作業員がフラットデッキ１４の鋭利な切断端部に接触して怪我をする危険性があった。
【００１０】
そこで、上記問題を解決する対策として、図２３に示すように、のみ込み代（Ｌ）を無くす工法がある。
【００１１】
この工法によれば、配筋作業時の作業員の怪我の問題が解決されるとともに、梁の断面欠損の問題やのみ込み代（Ｌ）により梁にひび割れが発生するという懸念を解消することができる。
【００１２】
しかし、のみ込み代（Ｌ）がないために、コンクリート１３からフラットデッキ１４が剥離して、フラットデッキ１４が落下することを防止する落下防止金具１６をフラットデッキ１４の端部に取り付ける必要がある。
【００１３】
従来、落下防止金具１６としては、図２４に示すように、フラットデッキ４の端部に溶接される通し鉄筋、図２５に示すように、フラットデッキ１４の端部に溶接されるピース部材、図２６に示すように、フラットデッキ１４の端部に溶接されるスペーサー、図２７に示すように、フラットデッキ１４の端部に螺合や打ち込みにより固定されるテクスアンカーが使用され、所定の落下防止効果がもたらされている。
【００１４】
また、別の落下防止金具１６としては、特許文献１に開示されるものがある。この先行落下防止金具１６は、図２８に示すように、下部に抜け止め用突起１７が形成され、抜け止め用突起１７の上部にストッパー用突起１８が形成され、下端部が先細りに形成され、上端に円板状の頭部１９が形成されたものからなっている。
【００１５】
この落下防止金具１６によれば、以下のようにして、フラットデッキ１４の落下が防止される。
【００１６】
先ず、コンクリート１３の打設前に落下防止金具１６をフラットデッキ１４の合せ部１４ａの隙間に打ち込む。この後、コンクリート１３を打設する。コンクリート１３の硬化後は、頭部１９がコンクリート１３に埋め込まれていることから、落下防止金具１６は、ストッパー用突起１８とともにコンクリート１３と一体化し、この結果、フラットデッキ１４の落下が防止される。
【００１７】
また、落下防止金具１６の下部は、斜め上方に傾斜した抜け止め用突起１７が合せ部１４ａに食い込んでフラットデッキ１４に係止されるので、フラットデッキ１４は、落下防止金具１６を介してコンクリート１３と結合する。この結果、フラットデッキ１４の落下が防止される。
【先行技術文献】
【特許文献】
【００１８】
【特許文献１】特開平８−４１８２号公報
【発明の概要】
【発明が解決しようとする課題】
【００１９】
上述した落下防止金具１６は、何れもフラットデッキ１４の落下防止効果を有しているが、落下防止金具１６を別部材としてフラットデッキ１４に取り付けていることから、以下のような問題があった。
【００２０】
すなわち、図２４、図２５、図２６に示す落下防止金具１６は、溶接によりフラットデッキ１４に固定する必要があり、図２７に示す落下防止金具１６は、螺合やねじ込みによりフラットデッキ１４に固定する必要があり、図２８に示す落下防止金具１６は、打ち込みによりフラットデッキ１４に固定するので、取り付けに時間と手間を要し、フラットデッキ１４への掛かりが小さい場合や溶接不良の場合には、フラットデッキ１４から脱落するおそれがあった。また、溶接の場合には、有資格者による施工が必要となる。
【００２１】
なお、図２８に示す落下防止金具１６は、これをフラットデッキ１４の合せ部１４ａの隙間に打ち込む必要があるので、特に、取り付け作業が煩雑である。
【００２２】
従って、この発明の目的は、落下防止金具を別部材としてフラットデッキに取り付ける必要性をなくすことによって、落下防止金具の取り付けに要する時間や手間を不要とし、しかも、フラットデッキの落下を確実に防止することができるフラットデッキを提供することにある。
【課題を解決するための手段】
【００２３】
この発明は、上記目的を達成するためになされたものであって、下記を特徴とする。
【００２４】
請求項１に記載の発明は、上面に長手方向に沿って合せ部が形成され、下面に長手方向に沿って延びる複数条の補強リブが形成され、上面が平坦に形成され、前記補強リブの端部は、押し潰され、幅方向端部の一方には、下方に折れ曲がる折り曲げ部が形成されているフラットデッキプレートにおいて、前記折り曲げ部には、前記折り曲げ部の一部を折り曲げることにより落下防止片が形成されていることを特徴とするものである。
【００２５】
請求項２に記載の発明は、請求項１に記載の発明において、前記落下防止片は、前記折り曲げ部に切り込みを入れることにより形成されることを特徴とするものである。
【００２６】
請求項３に記載の発明は、請求項１または２に記載の発明において、前記落下防止片は、垂直板と、前記垂直板の上部に形成された水平板とからなっていることに特徴を有するものである。
請求項４に記載の発明は、請求項３に記載の発明において、前記落下防止片は、前記折り曲げ部に切り込みを入れることによって前記折り曲げ部の一部に形成され、前記垂直板は、前記落下防止片を上方に垂直に折り曲げることによって形成され、前記水平板は、前記垂直板の一部を前記垂直板に対して垂直に折り曲げることによって形成されることを特徴とするものである。
【００２７】
請求項５に記載の発明は、請求項３又は４に記載の発明において、前記水平板は、コ字状に形成されていることに特徴を有するものである。
【００２８】
請求項６に記載の発明は、請求項３又は４に記載の発明において、前記水平板は、Ｌ字状に形成されていることに特徴を有するものである。
【００２９】
請求項７に記載の発明は、請求項３又は４に記載の発明において、前記水平板は、Ｔ字状に形成されていることを特徴とするものである。
【発明の効果】
【００３０】
この発明によれば、落下防止片を折り曲げ部の一部を折り曲げることにより形成することによって、落下防止金具を別部材としてフラットデッキに取り付ける場合にくらべて、落下防止金具の取り付けに要する時間や手間が不要となるといった効果がもたらされる。
【００３１】
また、この発明によれば、落下防止片をフラットデッキの折り曲げ部の一部を利用して折り曲げ形成することにより、落下防止金具を別部材としてフラットデッキに取り付ける場合にくらべて、トータルコストを低減することができる。
【００３２】
また、この発明によれば、落下防止片をフラットデッキの長手方向端部の一部を折り曲げることにより形成することによっても、上述したと同様な効果がもたらされる。
【００３３】
また、この発明によれば、落下防止片を折り曲げ部およびフラットデッキの長手方向端部の両方に形成することによって、上述した効果がさらに向上する。
【００３４】
また、この発明によれば、落下防止片を垂直板と、垂直板の上部に形成された水平板とにより形成することによって、水平板がコンクリートに埋め込まれ、定着するので、コンクリートからのフラットデッキの落下を確実に防止することができる。
【００３５】
また、この発明によれば、折り曲げ部あるいはフラットデッキの長手方向端部に切り込みを設け、折り曲げ部あるいはフラットデッキの長手方向端部の一部を折り曲げることによって、落下防止片を容易かつ短時間に形成することができる。
【００３６】
また、この発明によれば、落下防止片は、別部材ではなく、フラットデッキの一部により形成されているので、落下防止片がフラットデッキから外れるおそれはない。
【００３７】
また、この発明によれば、落下防止片は、折り曲げ部あるいはフラットデッキの長手方向端部の一部を折り曲げることにより形成されるので、溶接の必要性がなく、従って、有資格者を必要としない。
【図面の簡単な説明】
【００３８】
【図１】この発明のフラットデッキを示す一部省略平面図である。
【図２】図１のＸ矢視図である。
【図３】図１のＹ矢視図である。
【図４】この発明のフラットデッキの折り曲げ部に形成された、折り曲げ前の落下防止片を示す平面図である。
【図５】この発明のフラットデッキの折り曲げ部に形成された、折り曲げ前の別の落下防止片を示す平面図である。
【図６】この発明のフラットデッキの折り曲げ部に形成された、折り曲げ前の更に別の落下防止片を示す平面図である。
【図７】落下防止片を示す概略斜視図である。
【図８】別の落下防止片を示す概略斜視図である。
【図９】更に別の落下防止片を示す概略斜視図である。
【図１０】この発明のフラットデッキの長手方向端部に形成された、折り曲げ前の落下防止片を示す平面図である。
【図１１】この発明のフラットデッキによるコンクリート床の構築方法を示す断面図であり、（ａ）は、折り曲げ部を合せ部の隙間に差し込む状態を示す図であり、（ｂ）は、落下防止片を上方に折り曲げる前の状態を示す図であり、（ｃ）は、落下防止片を折り曲げて垂直板と水平板とを形成した状態を示す図であり、（ｄ）は、フラットデッキ上にコンクリートを打設した状態を示す図である。
【図１２】図１１（ａ）のＡ部拡大図である。
【図１３】図１１（ｂ）のＢ部拡大図である。
【図１４】図１１（ｃ）のＣ部拡大図である。
【図１５】ＲＣ構造によるコンクリート床の構築方法を示す断面図である。
【図１６】従来のフラットデッキを示す一部省略平面図である。
【図１７】図１６のＸ矢視図である。
【図１８】図１６のＹ矢視図である。
【図１９】従来のフラットデッキの連結方法を示す断面図である。
【図２０】開口部が形成された、落下防止金具が取り付けられたコンクリート床を示す平面図である。
【図２１】開口部が形成された、落下防止金具が取り付けられたコンクリート床を示す断面図である。
【図２２】図２１のＡ部拡大図である。
【図２３】のみ込み代がないＲＣ構造によるコンクリート床の構築方法を示す断面図である。
【図２４】通し鉄筋が溶接されたフラットデッキの端部を示す断面図である。
【図２５】ピース部材が溶接されたフラットデッキの端部を示す断面図である。
【図２６】スペーサーが溶接されたフラットデッキの端部を示す断面図である。
【図２７】テクスアンカーが固定されたフラットデッキの端部を示す断面図である。
【図２８】先行落下防止金具によるフラットデッキの落下防止構造を示す断面図である。
【発明を実施するための形態】
【００３９】
この発明のフラットデッキの一実施態様を、図面を参照しながら説明する。
【００４０】
図１は、この発明のフラットデッキを示す一部省略平面図、図２は、図１のＸ矢視図、図３は、図１のＹ矢視図である。
【００４１】
図１、図２、図３に示すように、この発明のフラットデッキ１は、上面に長手方向に沿って合せ部１ａが形成され、下面に長手方向に沿って延びる複数条（この例では２条）の補強リブ１ｂが形成され、上面が平坦に形成され、補強リブ１ｂの端部１ｃは、押し潰され、幅方向端部の一方には、下方に折れ曲がる折り曲げ部１ｄが形成され、折り曲げ部１ｄおよび長手方向端部１ｃには、折り曲げ部１ｄおよび長手方向端部１ｃの一部を上方に折り曲げることにより落下防止片２が形成されたものからなっている。
【００４２】
なお、フラットデッキ１は、一方のフラットデッキ１の折り曲げ部１ｄを他方のフラットデッキ１の合せ部１ａの隙間に差し込むタイプのものであれば、図示の例に限定されない。
【００４３】
図７に示すように、折り曲げ部１ｄに形成された落下防止片２は、垂直板２ａと、垂直板２ａの上部に形成された水平板２ｂとからなっている。水平板２ｂは、コ字状に形成され、水平板２ｂがフラットデッキ１上に打設されたコンクリート３に埋め込まれることによって、落下防止片２は、コンクリート３に定着する。この結果、コンクリート３からのフラットデッキ１の剥離によるフラットデッキ１の落下が確実に防止される。
【００４４】
落下防止片２は、折り曲げ部１ｄに切り込みを設け、折り曲げ部１ｄを折り曲げることによって形成される。すなわち、フラットデッキの製造工場での出荷段階では、図４に示すように、落下防止片２は、水平に形成され、コンクリート床の構築段階で、図７に示すように、落下防止片２の切り込みや開口にドライバーやバール等の工具を差し込んだり、あるいは、ヤットコ等により掴んで折り曲げることにより、垂直板２ａと水平板２ｂからなる落下防止片２を形成する。
【００４５】
切り込みは、フラットデッキ１の成形ラインで加工・形成すれば、フラットデッキ１毎に別ラインで切り込みを加工・形成する工程や手間が不要となる。それ以外に、別の機械や器具を使用して形成してもよい。
【００４６】
また、落下防止片２は、フラットデッキの製造工場での出荷段階で折り曲げ部１ｄと同様に下方に折り曲げておき、コンクリート床の構築段階で水平に引き起こした後、上述のようにして、垂直板２ａと水平板２ｂを形成してもよい。落下防止片２を必要としない場合には、落下防止片２は、下方に折り曲げたままとする。
【００４７】
この発明のフラットデッキによりコンクリート床４を構築するには、図１１（ａ）、図１２に示すように、一方のフラットデッキ１の折り曲げ部１ｄを他方のフラットデッキ１の合せ部１ａの隙間に差し込む。なお、落下防止片２が下方に折り曲げてある場合には、工具により水平に引き起こす。
【００４８】
次いで、図１１（ｂ）、図１３に示すように、折り曲げ部１ｄに、上述のように、例えば、工具を差し込んで、落下防止片２を上方に折り曲げる。これによって、垂直板２ａが形成される。
【００４９】
次いで、図１１（ｃ）、図１４に示すように、垂直板２ａの上部を水平に折り曲げて水平板２ｂを形成する。
【００５０】
そして、図１１（ｄ）に示すように、フラットデッキ１にコンクリート３を打設する。
【００５１】
以上のようにして、水平板２ｂがフラットデッキ１上に打設されたコンクリート３に埋め込まれることによって、落下防止片２は、コンクリート３に定着し、この結果、コンクリート３からのフラットデッキ１の剥離によるフラットデッキ１の落下が確実に防止される。
【００５２】
図１０に示すように、フラットデッキ１の長手方向端部１ｃに形成された落下防止片２も折り曲げ部１ｄに形成された落下防止片２と同様に、垂直板２ａと、垂直板２ａの上部に形成された水平板２ｂとからなっている。水平板２ｂは、コ字状に形成され、上述した折り曲げ部１ｄに形成した落下防止片２と同様な効果が得られる。落下防止片２の形成方法は、上述した折り曲げ部１ｄの場合と同様である。
【００５３】
落下防止片２は、上述のように、折り曲げ部１ｄとフラットデッキ１の長手方向端部１ｃの両方に形成しても、何れか一方に形成してもよいが、両方に形成することによりフラットデッキ１の落下防止効果がさらに高まる。
【００５４】
図５、図８に別の落下防止片を示す。この落下防止片２は、水平板２ｂがＬ字状に形成されたもので、上述した折り曲げ部１ｄに形成した落下防止片２と同様な効果が得られる。
【００５５】
図６、図９に更に別の落下防止片を示す。この落下防止片２は、水平板２ｂがＴ字状に形成されたもので、上述した折り曲げ部１ｄに形成した落下防止片２と同様な効果が得られる。
【００５６】
なお、落下防止片２は、コンクリート３に埋め込まれ、コンクリート３に定着する形状であれば、上記形状に限定されない。
【００５７】
以上説明したように、この発明によれば、落下防止片２を折り曲げ部１ｄの一部を折り曲げることにより形成することによって、落下防止金具を別部材としてフラットデッキ１に取り付ける場合にくらべて、落下防止金具の取り付けに要する時間や手間が不要となるといった効果がもたらされる。
【００５８】
また、この発明によれば、落下防止片２を折り曲げ部１ｄの一部を折り曲げることにより形成することによって、落下防止金具を別部材としてフラットデッキに取り付ける場合にくらべて、トータルコストを低減することができる。
【００５９】
また、この発明によれば、落下防止片２をフラットデッキ１の長手方向端部の一部を折り曲げることにより形成することによっても、上述したと同様な効果がもたらされる。
【００６０】
また、この発明によれば、落下防止片２を折り曲げ部１ｄおよびフラットデッキ１の長手方向端部の両方に形成することによって、上述した効果がさらに向上する。
【００６１】
また、この発明によれば、落下防止片２を垂直板２ａと、垂直板２ａの上部に形成された水平板２ｂとにより形成することによって、水平板２ｂがコンクリート３に埋め込まれ、定着するので、コンクリート３からのフラットデッキ１の落下を確実に防止することができる。
【００６２】
また、この発明によれば、折り曲げ部１ｄあるいはフラットデッキ１の長手方向端部に切り込みを設け、折り曲げ部１ｄあるいはフラットデッキ１の長手方向端部の一部を折り曲げることによって、落下防止片２を容易かつ短時間に形成することができる。
【００６３】
また、この発明によれば、落下防止片２は、別部材ではなく、フラットデッキ１の一部により形成されているので、落下防止片２がフラットデッキ１から外れるおそれはない。
【００６４】
また、この発明によれば、落下防止片２は、折り曲げ部１ｄあるいはフラットデッキ１の長手方向端部の一部を折り曲げることにより形成されるので、溶接の必要性がなく、従って、有資格者を必要としない。
【符号の説明】
【００６５】
１：フラットデッキ
１ａ：合せ部
１ｂ：補強リブ
１ｃ：端部
１ｄ：折り曲げ部
２：落下防止片
２ａ：垂直板
２ｂ：水平板
３：コンクリート
４：コンクリート床
１１：コンクリート床
１２：梁型枠
１３：コンクリート
１４：フラットデッキ
１４ａ：合せ部
１４ｂ：補強リブ
１４ｃ：端部
１４ｄ：折り曲げ部
１５：開口部
１６：落下防止金具
１７：抜け止め用突起
１８：ストッパー用突起
１９：頭部
【図１】
0006633385.tif 000002
【図２】
0006633385.tif 000003
【図３】
0006633385.tif 000004
【図４】
0006633385.tif 000005
【図５】
0006633385.tif 000006
【図６】
0006633385.tif 000007
【図７】
0006633385.tif 000008
【図８】
0006633385.tif 000009
【図９】
0006633385.tif 000010
【図１０】
0006633385.tif 000011
【図１１】
0006633385.tif 000012
【図１２】
0006633385.tif 000013
【図１３】
0006633385.tif 000014
【図１４】
0006633385.tif 000015
【図１５】
0006633385.tif 000016
【図１６】
0006633385.tif 000017
【図１７】
0006633385.tif 000018
【図１８】
0006633385.tif 000019
【図１９】
0006633385.tif 000020
【図２０】
0006633385.tif 000021
【図２１】
0006633385.tif 000022
【図２２】
0006633385.tif 000023
【図２３】
0006633385.tif 000024
【図２４】
0006633385.tif 000025
【図２５】
0006633385.tif 000026
【図２６】
0006633385.tif 000027
【図２７】
0006633385.tif 000028
【図２８】
0006633385.tif 000029